(57)【要約】【課題】本発明は自動電線巻き可能なＬＥＤ電気スタンドを開示した。【解決手段】ランプ台を含み、前記ランプ台の上端面にはランプ柱が設置され、前記ランプ柱の中には昇降チャンバが設置され、前記昇降チャンバの中には昇降機構が設置され、前記昇降機構は昇降バーを含み、、前記昇降チャンバの両側端壁の中には昇降溝が対称的に設置される；該装置が消灯するとき、外部にある電線を自動的に巻き付き電気スタンドの中に隠し、該装置がまた自動または手動で電気スタンドの高さを調整でき、これにより電気スタンドの照明範囲を変える。【選択図】図１
2020145169.tif 000002
【特許請求の範囲】
【請求項１】
ランプ台を含み、前記ランプ台の上端面にはランプ柱が設置され、前記ランプ柱の中には昇降チャンバが設置され、前記昇降チャンバの中には昇降機構が設置され、前記昇降機構は昇降バーを含み、前記昇降チャンバの中には上端が外界空間の中に位置する昇降バーが設置され、前記昇降バーの上端にはＬＥＤライトが設置され、前記昇降チャンバの両側端壁の中には昇降溝が対称的に設置され、前記昇降チャンバの中にはまた両端がそれぞれ両側の前記昇降溝の中に位置する昇降ブロックが設置され、前記昇降ブロックの中には収納溝が設置され、前記昇降バーの上端が前記収納溝と前記昇降ブロックとを貫通し、前記昇降溝の下端壁には上端が前記昇降ブロックと固定的に接続される昇降ばねが設置され、前記昇降チャンバの下端壁の中には駆動チャンバが設置され、前記駆動チャンバの中には駆動機構が設置され、前記駆動機構は前記駆動チャンバの上端壁の中に位置する制御チャンバを含み、前記制御チャンバの中には制御板が設置され、前記駆動チャンバの中にはまた巻き機構が設置される；
前記駆動モータが作動され、これにより傘歯車の伝動により、動力を前記昇降軸に伝達し、これにより前記昇降機構を作動連動させ、これにより電気スタンドを収納し、そして制御板の動力伝達により、前記駆動機構の動力を巻き機構に伝達し、これにより電線を収納することを特徴とする自動電線巻き可能なＬＥＤ電気スタンド。
【請求項２】
前記昇降機構はまた伸縮ばねを含み、前記昇降バーの下端が前記制御チャンバの中に位置し、前記昇降バーの中には十二個の前記昇降チャンバを連通するばね溝が両端対称的に設置され、前記ばね溝のうち前記昇降チャンバの中心線に近接する端壁には前記伸縮ばねが固定的に接続され、前記伸縮ばねのうち前記昇降チャンバの中心線から離れている一端には円錐形ブロックが固定的に接続され、前記円錐形ブロックのうち前記昇降チャンバの中心線から離れている一端が前記昇降チャンバの中に位置する；
前記昇降ブロックの中にはプッシュチャンバが設置され、片側の前記昇降溝の上端壁には昇降軸が回転できるように接続され、前記昇降軸の下端が前記プッシュチャンバと前記制御チャンバとを貫通し、かつ前記駆動チャンバの中に位置し、前記昇降軸の下端が前記制御板を貫通し、かつ前記制御板とスライドできるように接続され、前記プッシュチャンバの一つの端壁の中には従動チャンバが設置され、前記従動チャンバの下端壁が前記昇降溝を連通し、前記従動チャンバの中には従動板がスライドできるように接続され、前記従動板の一つの端面には従動バーが前後に対称的に固定的に接続され、前記従動バーの一端が前記従動チャンバの一つの端壁を貫通し、かつ前記プッシュチャンバの中に位置し、前記プッシュチャンバの中にはプッシュ板がスライドできるように接続され、前記プッシュ板と前記従動バーの一端とが固定的に接続され、前記プッシュ板の一つの端面には噛合ブロックが固定的に接続され、前記噛合ブロックの一端が前記昇降軸と螺旋により係合され、片側の前記昇降溝の上端壁には下端が前記プッシュチャンバの中に位置する従動台形バーが固定的に接続される；
前記駆動機構の伝動により、これにより前記昇降軸を回転連動させ、これにより前記昇降ブロックを降下連動させ、これにより前記昇降バーを降下連動させ、これによりＬＥＤライトを降下連動させることを特徴とする請求項１に記載の自動電線巻き可能なＬＥＤ電気スタンド。
【請求項３】
前記駆動機構は駆動モータを含み、前記駆動チャンバの一つの端壁には駆動モータが固定的に接続され、前記駆動モータには駆動軸が動力が伝達できるように接続され、前記駆動軸には駆動傘歯車が固定的に接続され、前記昇降軸の下端には従動傘歯車が固定的に接続され、前記従動傘歯車の一端が前記駆動傘歯車の上端と噛合接続され、前記制御板の上端面には電気磁石が固定的に接続され、前記制御板の下端面にはリフトバーが固定的に接続され、前記リフトバーの下端が前記駆動チャンバの中に位置し、前記リフトバーの下端が前記駆動チャンバの中に位置し、前記リフトバーの下端には回転溝が設置され、前記回転溝の両側端壁が前記駆動チャンバを連通し、前記回転溝の中には回転電磁ブロックが設置され、前記制御板の上端面にはまたラックブロックが固定的に接続され、前記制御チャンバの前後端壁の間には回転軸が回転できるように接続され、前記回転軸には回転歯車が固定的に接続され、前記回転歯車の一端には上端が片側の前記昇降溝の中に位置する台形ブロックが噛合接続され、前記回転歯車の一端と前記ラックブロックの一つの端面と噛合接続され、前記制御板の下端面には制御ばねが固定的に接続され、前記制御ばねの下端と前記制御チャンバの下端壁とが固定的に接続され、前記制御板の一端には下方に開口したばねチャンバが設置され、前記ばねチャンバの上端壁には圧縮ばねが固定的に接続され、前記圧縮ばねの下端には下端が前記駆動チャンバの中に位置する押圧バーが固定的に接続される；
前記駆動モータが起動され前記駆動軸を回転連動させ、これにより前記駆動傘歯車を回転連動させ、これにより前記従動傘歯車を回転連動させ、これにより前記昇降軸を回転連動させ、これにより前記昇降機構を作動連動させ、これにより前記昇降バーが下がり前記制御板を降下連動させることを特徴とする請求項１に記載の自動電線巻き可能なＬＥＤ電気スタンド。
【請求項４】
前記巻き機構は支持柱を含み、前記支持柱の上端には前記支持柱の上端の一つの端面を貫通する旋転軸が回転できるように接続され、前記旋転軸の一端には回転盤が固定的に接続され、前記回転盤の上端の一つの端面には支持バーが固定的に接続され、前記支持バーの一端にはカラーが固定的に接続され、前記駆動チャンバの一つの端壁には支持軸が固定的に接続され、前記支持軸には巻き筒がスライドできるように接続され、前記巻き筒の中には環状チャンバが設置され、前記環状チャンバの中には環状板が設置され、前記環状板の一つの端面には液圧ロッドが上下に対称的に固定的に接続され、前記液圧ロッドの一端が前記駆動チャンバの中に位置し、前記環状チャンバの一つの端壁の中には上方に開口した液圧チャンバが設置され、前記液圧チャンバの中には液圧板がスライドできるように接続され、前記駆動チャンバの一つの端壁の中には押し出し溝が設置され、前記押し出し溝の中には前端が外界空間の中に位置する台形板が設置され、前記支持軸にはまた押し出し板がスライドできるように接続され、前記押し出し板の一端には一端が前記押し出し溝の中に位置するプッシュ台形バーが上下に対称的に固定的に接続され、前記液圧チャンバの一つの端壁には前記環状チャンバを連通する液圧パイプが設置され、前記駆動チャンバの後端壁には前端が前記カラーの中心を貫通し、かつ前記カラーとスライドできるように接続される電線が設置される。
前記押圧バーが前記液圧チャンバの中の後ろに位置し、前記液圧板が下がり、これにより環状板を駆動し片側に運動させ、これにより前記液圧ロッドを駆動し片側に運動させ、前記押圧バーが前記巻き筒を回転を制限することにより、線を巻き始めることを特徴とする請求項１に記載の自動電線巻き可能なＬＥＤ電気スタンド。
【発明の詳細な説明】
【技術分野】
【０００１】
本発明はＬＥＤライト分野を取り上げて、具体的には自動電線巻き可能なＬＥＤ電気スタンドである。
【背景技術】
【０００２】
現在、電気スタンドは人々のデスクにある照明装置として、誰の家にもあり、電気スタンドは長い電源コードを持ち、通常の状況には、人々はただ電気スタンドを使用した後、電源コードは依然としてコンセントに插入されており、またはコンセントから引き抜いたままであり、それでデスクがバラバラに見え、電源コードの保護にも良くなく、また現在、電気スタンドは一般的に固定でまたは手動により光源の高さを調整し、人々のニーズをより良く満たすことができない。
【先行技術文献】
【特許文献】
【０００３】
【特許文献１】中国特許出願公開第１０３７９１３０５号明細書
【発明の概要】
【発明が解決しようとする課題】
【０００４】
本発明の目的は自動電線巻き可能なＬＥＤ電気スタンドを提供し、それは上記の現在の技術中の問題を解決できる。
【課題を解決するための手段】
【０００５】
上記の課題を解決するため、本発明は以下の技術プランを採用する：ランプ台を含み、前記ランプ台の上端面にはランプ柱が設置され、前記ランプ柱の中には昇降チャンバが設置され、前記昇降チャンバの中には昇降機構が設置され、前記昇降機構は昇降バーを含み、前記昇降チャンバの中には上端が外界空間の中に位置する昇降バーが設置され、前記昇降バーの上端にはＬＥＤライトが設置され、前記昇降チャンバの両側端壁の中には昇降溝が対称的に設置され、前記昇降チャンバの中にはまた両端がそれぞれ両側の前記昇降溝の中に位置する昇降ブロックが設置され、前記昇降ブロックの中には収納溝が設置され、前記昇降バーの上端が前記収納溝と前記昇降ブロックとを貫通し、前記昇降溝の下端壁には上端が前記昇降ブロックと固定的に接続される昇降ばねが設置され、前記昇降チャンバの下端壁の中には駆動チャンバが設置され、前記駆動チャンバの中には駆動機構が設置され、前記駆動機構は前記駆動チャンバの上端壁の中に位置する制御チャンバを含み、前記制御チャンバの中には制御板が設置され、前記駆動チャンバの中にはまた巻き機構が設置される。
【０００６】
優選的には、前記昇降機構はまた伸縮ばねを含み、前記昇降バーの下端が前記制御チャンバの中に位置し、前記昇降バーの中には十二個の前記昇降チャンバを連通するばね溝が両端対称的に設置され、前記ばね溝のうち前記昇降チャンバの中心線に近接する端壁には前記伸縮ばねが固定的に接続され、前記伸縮ばねのうち前記昇降チャンバの中心線から離れている一端には円錐形ブロックが固定的に接続され、前記円錐形ブロックのうち前記昇降チャンバの中心線から離れている一端が前記昇降チャンバの中に位置する；
【０００７】
前記昇降ブロックの中にはプッシュチャンバが設置され、片側の前記昇降溝の上端壁には昇降軸が回転できるように接続され、前記昇降軸の下端が前記プッシュチャンバと前記制御チャンバとを貫通し、かつ前記駆動チャンバの中に位置し、前記昇降軸の下端が前記制御板を貫通し、かつ前記制御板とスライドできるように接続され、前記プッシュチャンバの一つの端壁の中には従動チャンバが設置され、前記従動チャンバの下端壁が前記昇降溝を連通し、前記従動チャンバの中には従動板がスライドできるように接続され、前記従動板の一つの端面には従動バーが前後に対称的に固定的に接続され、前記従動バーの一端が前記従動チャンバの一つの端壁を貫通し、かつ前記プッシュチャンバの中に位置し、前記プッシュチャンバの中にはプッシュ板がスライドできるように接続され、前記プッシュ板と前記従動バーの一端とが固定的に接続され、前記プッシュ板の一つの端面には噛合ブロックが固定的に接続され、前記噛合ブロックの一端が前記昇降軸と螺旋により係合され、片側の前記昇降溝の上端壁には下端が前記プッシュチャンバの中に位置する従動台形バーが固定的に接続される。
【０００８】
優選的には、前記駆動機構は駆動モータを含み、前記駆動チャンバの一つの端壁には駆動モータが固定的に接続され、前記駆動モータには駆動軸が動力が伝達できるように接続され、前記駆動軸には駆動傘歯車が固定的に接続され、前記昇降軸の下端には従動傘歯車が固定的に接続され、前記従動傘歯車の一端が前記駆動傘歯車の上端と噛合接続され、前記制御板の上端面には電気磁石が固定的に接続され、前記制御板の下端面にはリフトバーが固定的に接続され、前記リフトバーの下端が前記駆動チャンバの中に位置し、前記リフトバーの下端が前記駆動チャンバの中に位置し、前記リフトバーの下端には回転溝が設置され、前記回転溝の両側端壁が前記駆動チャンバを連通し、前記回転溝の中には回転電磁ブロックが設置され、前記制御板の上端面にはまたラックブロックが固定的に接続され、前記制御チャンバの前後端壁の間には回転軸が回転できるように接続され、前記回転軸には回転歯車が固定的に接続され、前記回転歯車の一端には上端が片側の前記昇降溝の中に位置する台形ブロックが噛合接続され、前記回転歯車の一端と前記ラックブロックの一つの端面と噛合接続され、前記制御板の下端面には制御ばねが固定的に接続され、前記制御ばねの下端と前記制御チャンバの下端壁とが固定的に接続され、前記制御板の一端には下方に開口したばねチャンバが設置され、前記ばねチャンバの上端壁には圧縮ばねが固定的に接続され、前記圧縮ばねの下端には下端が前記駆動チャンバの中に位置する押圧バーが固定的に接続される。
【０００９】
優選的には、前記巻き機構は支持柱を含み、前記支持柱の上端には前記支持柱の上端の一つの端面を貫通する旋転軸が回転できるように接続され、前記旋転軸の一端には回転盤が固定的に接続され、前記回転盤の上端の一つの端面には支持バーが固定的に接続され、前記支持バーの一端にはカラーが固定的に接続され、前記駆動チャンバの一つの端壁には支持軸が固定的に接続され、前記支持軸には巻き筒がスライドできるように接続され、前記巻き筒の中には環状チャンバが設置され、前記環状チャンバの中には環状板が設置され、前記環状板の一つの端面には液圧ロッドが上下に対称的に固定的に接続され、前記液圧ロッドの一端が前記駆動チャンバの中に位置し、前記環状チャンバの一つの端壁の中には上方に開口した液圧チャンバが設置され、前記液圧チャンバの中には液圧板がスライドできるように接続され、前記駆動チャンバの一つの端壁の中には押し出し溝が設置され、前記押し出し溝の中には前端が外界空間の中に位置する台形板が設置され、前記支持軸にはまた押し出し板がスライドできるように接続され、前記押し出し板の一端には一端が前記押し出し溝の中に位置するプッシュ台形バーが上下に対称的に固定的に接続され、前記液圧チャンバの一つの端壁には前記環状チャンバを連通する液圧パイプが設置され、前記駆動チャンバの後端壁には前端が前記カラーの中心を貫通し、かつ前記カラーとスライドできるように接続される電線が設置される。
【発明の効果】
【００１０】
本発明の有益的な効果は：本装置は構造が簡単で、操作が便利であり、該装置が消灯するとき、外部にある電線を自動的に巻き付き電気スタンドの中に隠し、これによりデスクをきれいにし、該装置がまた自動または手動で電気スタンドの高さを調整でき、これにより電気スタンドの照明範囲を変え、一般の電気スタンドが手動でしか制御できないことと比べて、該装置が電気スタンドの自動化程度を高め、より良く人々のニーズに適応し、機械の伝動により作業効率を高める。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１２】
【図１】図１は本発明の自動電線巻き可能なＬＥＤ電気スタンドの全体全断面の正面構造概略図である；
【図２】図２は本発明の自動電線巻き可能なＬＥＤ電気スタンドの巻き機構の局部断面の正面構造概略図である。
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１−２に示すように、本発明の自動電線巻き可能なＬＥＤ電気スタンドは、ランプ台１８を含み、前記ランプ台１８の上端面にはランプ柱３が設置され、前記ランプ柱３の中には昇降チャンバ３９が設置され、前記昇降チャンバ３９の中には昇降機構５７が設置され、前記昇降機構５７は昇降バー４０を含み、前記昇降チャンバ３９の中には上端が外界空間の中に位置する昇降バー４０が設置され、前記昇降バー４０の上端にはＬＥＤライトが設置され、前記昇降チャンバ３９の両側端壁の中には昇降溝７が対称的に設置され、前記昇降チャンバ３９の中にはまた両端がそれぞれ両側の前記昇降溝７の中に位置する昇降ブロック２が設置され、前記昇降ブロック２の中には収納溝３６が設置され、前記昇降バー４０の上端が前記収納溝３６と前記昇降ブロック２とを貫通し、前記昇降溝７の下端壁には上端が前記昇降ブロック２と固定的に接続される昇降ばね９が設置され、前記昇降チャンバ３９の下端壁の中には駆動チャンバ１４が設置され、前記駆動チャンバ１４の中には駆動機構５６が設置され、前記駆動機構５６は前記駆動チャンバ１４の上端壁の中に位置する制御チャンバ３１を含み、前記制御チャンバ３１の中には制御板３０が設置され、前記駆動チャンバ１４の中にはまた巻き機構２７が設置される。
【００１５】
有益的には、前記昇降機構５７はまた伸縮ばね３８を含み、前記昇降バー４０の下端が前記制御チャンバ３１の中に位置し、前記昇降バー４０の中には十二個の前記昇降チャンバ３９を連通するばね溝３５が両端対称的に設置され、前記ばね溝３５のうち前記昇降チャンバ４０の中心線に近接する端壁には前記伸縮ばね３８が固定的に接続され、前記伸縮ばね３８のうち前記昇降チャンバ４０の中心線から離れている一端には円錐形ブロック３７が固定的に接続され、前記円錐形ブロック３７のうち前記昇降チャンバ４０の中心線から離れている一端が前記昇降チャンバ３９の中に位置する；
【００１６】
前記昇降ブロック２の中にはプッシュチャンバ４１が設置され、片側の前記昇降溝７の上端壁には昇降軸８が回転できるように接続され、前記昇降軸８の下端が前記プッシュチャンバ４１と前記制御チャンバ３１とを貫通し、かつ前記駆動チャンバの中に位置し、前記昇降軸８の下端が前記制御板３０を貫通し、かつ前記制御板３０とスライドできるように接続され、前記プッシュチャンバ４１の一つの端壁の中には従動チャンバ６が設置され、前記従動チャンバ６の下端壁が前記昇降溝７を連通し、前記従動チャンバ６の中には従動板４がスライドできるように接続され、前記従動板４の一つの端面には従動バー５が前後に対称的に固定的に接続され、前記従動バー５の一端が前記従動チャンバ６の一つの端壁を貫通し、かつ前記プッシュチャンバ４１の中に位置し、前記プッシュチャンバ４１の中にはプッシュ板４３がスライドできるように接続され、前記プッシュ板４３と前記従動バー５の一端とが固定的に接続され、前記プッシュ板４３の一つの端面には噛合ブロック４４が固定的に接続され、前記噛合ブロック４４の一端が前記昇降軸８と螺旋により係合され、片側の前記昇降溝７の上端壁には下端が前記プッシュチャンバ４１の中に位置する従動台形バー４２が固定的に接続される。
【００１７】
有益的には、前記駆動機構５６は駆動モータ１６を含み、前記駆動チャンバ１４の一つの端壁には駆動モータ１６が固定的に接続され、前記駆動モータ１６には駆動軸１７が動力が伝達できるように接続され、前記駆動軸１７には駆動傘歯車１９が固定的に接続され、前記昇降軸８の下端には従動傘歯車１５が固定的に接続され、前記従動傘歯車１５の一端が前記駆動傘歯車１９の上端と噛合接続され、前記制御板３０の上端面には電気磁石３３が固定的に接続され、前記制御板３０の下端面にはリフトバー３４が固定的に接続され、前記リフトバー３４の下端が前記駆動チャンバ１４の中に位置し、前記リフトバー３４の下端が前記駆動チャンバ１４の中に位置し、前記リフトバー３４の下端には回転溝２１が設置され、前記回転溝２１の両側端壁が前記駆動チャンバ１４を連通し、前記回転溝２１の中には回転電磁ブロック２０が設置され、前記制御板３０の上端面にはまたラックブロック１３が固定的に接続され、前記制御チャンバ３１の前後端壁の間には回転軸１２が回転できるように接続され、前記回転軸１２には回転歯車１１が固定的に接続され、前記回転歯車１１の一端には上端が片側の前記昇降溝７の中に位置する台形ブロック１０が噛合接続され、前記回転歯車１１の一端と前記ラックブロック１３の一つの端面と噛合接続され、前記制御板３０の下端面には制御ばね３２が固定的に接続され、前記制御ばね３２の下端と前記制御チャンバ３１の下端壁とが固定的に接続され、前記制御板３０の一端には下方に開口したばねチャンバ５９が設置され、前記ばねチャンバ５９の上端壁には圧縮ばね５８が固定的に接続され、前記圧縮ばね５８の下端には下端が前記駆動チャンバ１４の中に位置する押圧バー４７が固定的に接続される。
【００１８】
有益的には、前記巻き機構２７は支持柱２２を含み、前記支持柱２２の上端には前記支持柱２２の上端の一つの端面を貫通する旋転軸２３が回転できるように接続され、前記旋転軸２３の一端には回転盤２４が固定的に接続され、前記回転盤２４の上端の一つの端面には支持バー２９が固定的に接続され、前記支持バー２９の一端にはカラー２８が固定的に接続され、前記駆動チャンバ１４の一つの端壁には支持軸５２が固定的に接続され、前記支持軸５２には巻き筒２５がスライドできるように接続され、前記巻き筒２５の中には環状チャンバ４８が設置され、前記環状チャンバ４８の中には環状板４９が設置され、前記環状板４９の一つの端面には液圧ロッド５０が上下に対称的に固定的に接続され、前記液圧ロッド５０の一端が前記駆動チャンバ１４の中に位置し、前記環状チャンバ４８の一つの端壁の中には上方に開口した液圧チャンバ４５が設置され、前記液圧チャンバ４５の中には液圧板４６がスライドできるように接続され、前記駆動チャンバ１４の一つの端壁の中には押し出し溝５４が設置され、前記押し出し溝５４の中には前端が外界空間の中に位置する台形板５５が設置され、前記支持軸５２にはまた押し出し板５１がスライドできるように接続され、前記押し出し板５１の一端には一端が前記押し出し溝５４の中に位置するプッシュ台形バー５３が上下に対称的に固定的に接続され、前記液圧チャンバ４５の一つの端壁には前記環状チャンバ４８を連通する液圧パイプ６０が設置され、前記駆動チャンバ１４の後端壁には前端が前記カラー２８の中心を貫通し、かつ前記カラー２８とスライドできるように接続される電線２６が設置される。
【００１９】
下記に、出願人は図１−２と上記に記述した本出願の自動電線巻き可能なＬＥＤ電気スタンドの具体的な構成を参考し、本出願の自動電線巻き可能なＬＥＤ電気スタンドの使用方法を詳しく紹介する：まず、初期状態に、前記噛合ブロック４４と前記昇降軸８とが螺旋により係合される状態にあり、前記制御ばね３２が圧縮状態にあり、前記液圧板４６が前記液圧チャンバ４５の最下側に位置し、前記電気磁石３３がオープン状態にある；
【００２０】
電気スタンドを使用するとき、前記昇降バー４０を上に引き、これにより前記昇降バー４０を上昇連動させ、これにより前記制御板３０を上昇連動させ、これにより前記制御ばねをリセットさせ、これにより前記ラックブロック１３、前記リフトバー３４及び前記押圧バー４７を上昇連動させ、前記ラックブロック１３の上昇が前記回転歯車１１を回転連動させ、これにより前記台形ブロック１０を降下連動させ、前記リフトバー３４が上昇しこれにより前記回転電磁ブロック２０を上昇連動させ、これにより前記駆動軸１７と前記旋転軸２３に伝動を失わせ、これにより手動で前記電線２６を引き、前記押圧バー４７が上昇するため、前記巻き筒２５が制限されなくなり、これにより前記電線２６が移動する間に回転し、通電するとき、前記昇降ブロック２を自動的に昇降する必要がある場合、前記駆動モータ１６を始動し、これにより前記駆動軸１７を回転駆動させ、これにより前記駆動傘歯車１９を回転駆動させ、これにより前記従動傘歯車１５を回転連動させ、これにより前記昇降軸８を回転連動させ、これにより前記噛合ブロック４４を昇降連動させ、これにより前記昇降ブロック２を昇降連動させ、これにより前記昇降バー４０を昇降連動させ、手動で前記昇降バー４０を調整する必要があるとき、手動で前記昇降バー４０を引けばよい；
【００２１】
前記電気スタンドを使い終わると、前記駆動モータ１６が作動し、これにより前記駆動軸１７を回転連動させ、これにより前記駆動傘歯車１９を回転連動させ、これにより前記従動傘歯車１５を回転連動させ、これにより前記昇降軸８を回転連動させ、これにより前記噛合ブロック４４を降下連動させ、これにより前記昇降ブロック２を降下連動させ、これにより前記昇降バー４０を降下連動させ、前記昇降ばね９が圧縮され、前記昇降バー４０が最下側に降下すると、前記昇降バー４０が降下し前記電気磁石３３と接触し、かつ互いに対立し固定され、これにより前記制御板３０を降下連動させ、これにより前記ラックブロック１３を降下連動させ、これにより前記回転歯車１１を回転連動させ、これにより前記台形ブロック１０を上昇連動させ、前記リフトバー３４の降下が前記回転溝２１を降下連動させ、前記リフトバー３４が最下側に降下すると、前記回転電磁ブロック２０が作動し、これにより前記駆動軸１７と前記旋転軸２３との間の伝動を実現し、前記押圧バー４７の下端が前記巻き筒２５と接触し前記液圧板４６と接触していないとき、前記圧縮ばね５８が圧縮され、前記昇降ブロック２が前記昇降軸７の作用のもとで降下し続け、前記台形ブロック１０の上端が前記従動チャンバ６の中に入ると、これにより前記従動板４を連動し片側に移動させ、これにより前記従動バー５の伝動により前記プッシュ板４３を連動し片側に移動させ、これにより前記噛合ブロック４４を連動し前記昇降軸７との噛合から離脱し、これにより前記昇降ブロック２が前記昇降ばね９の作用のもとで上昇しリセットし、前記駆動軸１７の回転が前記回転電磁ブロック２０を回転連動させ、これにより前記旋転軸２３を回転連動させ、これにより前記回転盤２４を回転連動させ、これにより前記支持バー２９を回転連動させ、これにより前記カラー２８を回転連動させ、これにより前記電線２６を回転連動させ、前記押圧バー４７の下端が前記液圧チャンバ４５の中に位置するとき、前記カラー２８が電線２６を前記巻き筒２５に巻き付く。
【００２２】
本発明の有益的な効果は：本装置は構造が簡単で、操作が便利であり、該装置が消灯するとき、外部にある電線を自動的に巻き付き電気スタンドの中に隠し、これによりデスクをきれいにし、該装置がまた自動または手動で電気スタンドの高さを調整でき、これにより電気スタンドの照明範囲を変え、一般の電気スタンドが手動でしか制御できないことと比べて、該装置が電気スタンドの自動化程度を高め、より良く人々のニーズに適応し、機械の伝動により作業効率を高める。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020145169.tif 000003
【図２】
2020145169.tif 000004
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
ランプ台を含み、前記ランプ台の上端面にはランプ柱が設置され、前記ランプ柱の中には昇降チャンバが設置され、前記昇降チャンバの中には昇降機構が設置され、前記昇降機構は昇降バーを含み、前記昇降チャンバの中には上端が外界空間の中に位置する昇降バーが設置され、前記昇降バーの上端にはＬＥＤライトが設置され、前記昇降チャンバの両側端壁の中には昇降溝が対称的に設置され、前記昇降チャンバの中にはまた両端がそれぞれ両側の前記昇降溝の中に位置する昇降ブロックが設置され、前記昇降ブロックの中には収納溝が設置され、前記昇降バーの上端が前記収納溝と前記昇降ブロックとを貫通し、前記昇降溝の下端壁には上端が前記昇降ブロックと固定的に接続される昇降ばねが設置され、前記昇降チャンバの下端壁の中には駆動チャンバが設置され、前記駆動チャンバの中には駆動機構が設置され、前記駆動機構は前記駆動チャンバの上端壁の中に位置する制御チャンバを含み、前記制御チャンバの中には制御板が設置され、前記駆動チャンバの中にはまた巻き機構が設置される；
前記駆動モータが作動され、これにより傘歯車の伝動により、動力を前記昇降軸に伝達し、これにより前記昇降機構を作動連動させ、これにより電気スタンドを収納し、そして制御板の動力伝達により、前記駆動機構の動力を巻き機構に伝達し、これにより電線を収納することを特徴とする自動電線巻き可能なＬＥＤ電気スタンド。
【請求項２】
前記昇降機構はまた伸縮ばねを含み、前記昇降バーの下端が前記制御チャンバの中に位置し、前記昇降バーの中には十二個の前記昇降チャンバを連通するばね溝が両端対称的に設置され、前記ばね溝のうち前記昇降チャンバの中心線に近接する端壁には前記伸縮ばねが固定的に接続され、前記伸縮ばねのうち前記昇降チャンバの中心線から離れている一端には円錐形ブロックが固定的に接続され、前記円錐形ブロックのうち前記昇降チャンバの中心線から離れている一端が前記昇降チャンバの中に位置する；
前記昇降ブロックの中にはプッシュチャンバが設置され、片側の前記昇降溝の上端壁には昇降軸が回転できるように接続され、前記昇降軸の下端が前記プッシュチャンバと前記制御チャンバとを貫通し、かつ前記駆動チャンバの中に位置し、前記昇降軸の下端が前記制御板を貫通し、かつ前記制御板とスライドできるように接続され、前記プッシュチャンバの一つの端壁の中には従動チャンバが設置され、前記従動チャンバの下端壁が前記昇降溝を連通し、前記従動チャンバの中には従動板がスライドできるように接続され、前記従動板の一つの端面には従動バーが前後に対称的に固定的に接続され、前記従動バーの一端が前記従動チャンバの一つの端壁を貫通し、かつ前記プッシュチャンバの中に位置し、前記プッシュチャンバの中にはプッシュ板がスライドできるように接続され、前記プッシュ板と前記従動バーの一端とが固定的に接続され、前記プッシュ板の一つの端面には噛合ブロックが固定的に接続され、前記噛合ブロックの一端が前記昇降軸と螺旋により係合され、片側の前記昇降溝の上端壁には下端が前記プッシュチャンバの中に位置する従動台形バーが固定的に接続される；
前記駆動機構の伝動により、これにより前記昇降軸を回転連動させ、これにより前記昇降ブロックを降下連動させ、これにより前記昇降バーを降下連動させ、これによりＬＥＤライトを降下連動させることを特徴とする請求項１に記載の自動電線巻き可能なＬＥＤ電気スタンド。
【請求項３】
前記駆動機構は駆動モータを含み、前記駆動チャンバの一つの端壁には駆動モータが固定的に接続され、前記駆動モータには駆動軸が動力が伝達できるように接続され、前記駆動軸には駆動傘歯車が固定的に接続され、前記昇降軸の下端には従動傘歯車が固定的に接続され、前記従動傘歯車の一端が前記駆動傘歯車の上端と噛合接続され、前記制御板の上端面には電気磁石が固定的に接続され、前記制御板の下端面にはリフトバーが固定的に接続され、前記リフトバーの下端が前記駆動チャンバの中に位置し、前記リフトバーの下端には回転溝が設置され、前記回転溝の両側端壁が前記駆動チャンバを連通し、前記回転溝の中には回転電磁ブロックが設置され、前記制御板の上端面にはまたラックブロックが固定的に接続され、前記制御チャンバの前後端壁の間には回転軸が回転できるように接続され、前記回転軸には回転歯車が固定的に接続され、前記回転歯車の一端には上端が片側の前記昇降溝の中に位置する台形ブロックが噛合接続され、前記回転歯車の一端と前記ラックブロックの一つの端面と噛合接続され、前記制御板の下端面には制御ばねが固定的に接続され、前記制御ばねの下端と前記制御チャンバの下端壁とが固定的に接続され、前記制御板の一端には下方に開口したばねチャンバが設置され、前記ばねチャンバの上端壁には圧縮ばねが固定的に接続され、前記圧縮ばねの下端には下端が前記駆動チャンバの中に位置する押圧バーが固定的に接続される；
前記駆動モータが起動され前記駆動軸を回転連動させ、これにより前記駆動傘歯車を回転連動させ、これにより前記従動傘歯車を回転連動させ、これにより前記昇降軸を回転連動させ、これにより前記昇降機構を作動連動させ、これにより前記昇降バーが下がり前記制御板を降下連動させることを特徴とする請求項１に記載の自動電線巻き可能なＬＥＤ電気スタンド。
【請求項４】
前記巻き機構は支持柱を含み、前記支持柱の上端には前記支持柱の上端の一つの端面を貫通する旋転軸が回転できるように接続され、前記旋転軸の一端には回転盤が固定的に接続され、前記回転盤の上端の一つの端面には支持バーが固定的に接続され、前記支持バーの一端にはカラーが固定的に接続され、前記駆動チャンバの一つの端壁には支持軸が固定的に接続され、前記支持軸には巻き筒がスライドできるように接続され、前記巻き筒の中には環状チャンバが設置され、前記環状チャンバの中には環状板が設置され、前記環状板の一つの端面には液圧ロッドが上下に対称的に固定的に接続され、前記液圧ロッドの一端が前記駆動チャンバの中に位置し、前記環状チャンバの一つの端壁の中には上方に開口した液圧チャンバが設置され、前記液圧チャンバの中には液圧板がスライドできるように接続され、前記駆動チャンバの一つの端壁の中には押し出し溝が設置され、前記押し出し溝の中には前端が外界空間の中に位置する台形板が設置され、前記支持軸にはまた押し出し板がスライドできるように接続され、前記押し出し板の一端には一端が前記押し出し溝の中に位置するプッシュ台形バーが上下に対称的に固定的に接続され、前記液圧チャンバの一つの端壁には前記環状チャンバを連通する液圧パイプが設置され、前記駆動チャンバの後端壁には前端が前記カラーの中心を貫通し、かつ前記カラーとスライドできるように接続される電線が設置される。
前記押圧バーが前記液圧チャンバの中の後ろに位置し、前記液圧板が下がり、これにより環状板を駆動し片側に運動させ、これにより前記液圧ロッドを駆動し片側に運動させ、前記押圧バーが前記巻き筒を回転を制限することにより、線を巻き始めることを特徴とする請求項１に記載の自動電線巻き可能なＬＥＤ電気スタンド。
【手続補正２】
【補正対象書類名】明細書
【補正対象項目名】全文
【補正方法】変更
【補正の内容】
【発明の詳細な説明】
【技術分野】
【０００１】
本発明はＬＥＤライト分野を取り上げて、具体的には自動電線巻き可能なＬＥＤ電気スタンドである。
【背景技術】
【０００２】
現在、電気スタンドは人々のデスクにある照明装置として、誰の家にもあり、電気スタンドは長い電源コードを持ち、通常の状況には、人々はただ電気スタンドを使用した後、電源コードは依然としてコンセントに插入されており、またはコンセントから引き抜いたままであり、それでデスクがバラバラに見え、電源コードの保護にも良くなく、また現在、電気スタンドは一般的に固定でまたは手動により光源の高さを調整し、人々のニーズをより良く満たすことができない。
【先行技術文献】
【特許文献】
【０００３】
【特許文献１】中国特許出願公開第１０３７９１３０５号明細書
【発明の概要】
【発明が解決しようとする課題】
【０００４】
本発明の目的は自動電線巻き可能なＬＥＤ電気スタンドを提供し、それは上記の現在の技術中の問題を解決できる。
【課題を解決するための手段】
【０００５】
上記の課題を解決するため、本発明は以下の技術プランを採用する：ランプ台を含み、前記ランプ台の上端面にはランプ柱が設置され、前記ランプ柱の中には昇降チャンバが設置され、前記昇降チャンバの中には昇降機構が設置され、前記昇降機構は昇降バーを含み、前記昇降チャンバの中には上端が外界空間の中に位置する昇降バーが設置され、前記昇降バーの上端にはＬＥＤライトが設置され、前記昇降チャンバの両側端壁の中には昇降溝が対称的に設置され、前記昇降チャンバの中にはまた両端がそれぞれ両側の前記昇降溝の中に位置する昇降ブロックが設置され、前記昇降ブロックの中には収納溝が設置され、前記昇降バーの上端が前記収納溝と前記昇降ブロックとを貫通し、前記昇降溝の下端壁には上端が前記昇降ブロックと固定的に接続される昇降ばねが設置され、前記昇降チャンバの下端壁の中には駆動チャンバが設置され、前記駆動チャンバの中には駆動機構が設置され、前記駆動機構は前記駆動チャンバの上端壁の中に位置する制御チャンバを含み、前記制御チャンバの中には制御板が設置され、前記駆動チャンバの中にはまた巻き機構が設置される。
【０００６】
優選的には、前記昇降機構はまた伸縮ばねを含み、前記昇降バーの下端が前記制御チャンバの中に位置し、前記昇降バーの中には十二個の前記昇降チャンバを連通するばね溝が両端対称的に設置され、前記ばね溝のうち前記昇降チャンバの中心線に近接する端壁には前記伸縮ばねが固定的に接続され、前記伸縮ばねのうち前記昇降チャンバの中心線から離れている一端には円錐形ブロックが固定的に接続され、前記円錐形ブロックのうち前記昇降チャンバの中心線から離れている一端が前記昇降チャンバの中に位置する；
【０００７】
前記昇降ブロックの中にはプッシュチャンバが設置され、片側の前記昇降溝の上端壁には昇降軸が回転できるように接続され、前記昇降軸の下端が前記プッシュチャンバと前記制御チャンバとを貫通し、かつ前記駆動チャンバの中に位置し、前記昇降軸の下端が前記制御板を貫通し、かつ前記制御板とスライドできるように接続され、前記プッシュチャンバの一つの端壁の中には従動チャンバが設置され、前記従動チャンバの下端壁が前記昇降溝を連通し、前記従動チャンバの中には従動板がスライドできるように接続され、前記従動板の一つの端面には従動バーが前後に対称的に固定的に接続され、前記従動バーの一端が前記従動チャンバの一つの端壁を貫通し、かつ前記プッシュチャンバの中に位置し、前記プッシュチャンバの中にはプッシュ板がスライドできるように接続され、前記プッシュ板と前記従動バーの一端とが固定的に接続され、前記プッシュ板の一つの端面には噛合ブロックが固定的に接続され、前記噛合ブロックの一端が前記昇降軸と螺旋により係合され、片側の前記昇降溝の上端壁には下端が前記プッシュチャンバの中に位置する従動台形バーが固定的に接続される。
【０００８】
優選的には、前記駆動機構は駆動モータを含み、前記駆動チャンバの一つの端壁には駆動モータが固定的に接続され、前記駆動モータには駆動軸が動力が伝達できるように接続され、前記駆動軸には駆動傘歯車が固定的に接続され、前記昇降軸の下端には従動傘歯車が固定的に接続され、前記従動傘歯車の一端が前記駆動傘歯車の上端と噛合接続され、前記制御板の上端面には電気磁石が固定的に接続され、前記制御板の下端面にはリフトバーが固定的に接続され、前記リフトバーの下端が前記駆動チャンバの中に位置し、前記リフトバーの下端には回転溝が設置され、前記回転溝の両側端壁が前記駆動チャンバを連通し、前記回転溝の中には回転電磁ブロックが設置され、前記制御板の上端面にはまたラックブロックが固定的に接続され、前記制御チャンバの前後端壁の間には回転軸が回転できるように接続され、前記回転軸には回転歯車が固定的に接続され、前記回転歯車の一端には上端が片側の前記昇降溝の中に位置する台形ブロックが噛合接続され、前記回転歯車の一端と前記ラックブロックの一つの端面と噛合接続され、前記制御板の下端面には制御ばねが固定的に接続され、前記制御ばねの下端と前記制御チャンバの下端壁とが固定的に接続され、前記制御板の一端には下方に開口したばねチャンバが設置され、前記ばねチャンバの上端壁には圧縮ばねが固定的に接続され、前記圧縮ばねの下端には下端が前記駆動チャンバの中に位置する押圧バーが固定的に接続される。
【０００９】
優選的には、前記巻き機構は支持柱を含み、前記支持柱の上端には前記支持柱の上端の一つの端面を貫通する旋転軸が回転できるように接続され、前記旋転軸の一端には回転盤が固定的に接続され、前記回転盤の上端の一つの端面には支持バーが固定的に接続され、前記支持バーの一端にはカラーが固定的に接続され、前記駆動チャンバの一つの端壁には支持軸が固定的に接続され、前記支持軸には巻き筒がスライドできるように接続され、前記巻き筒の中には環状チャンバが設置され、前記環状チャンバの中には環状板が設置され、前記環状板の一つの端面には液圧ロッドが上下に対称的に固定的に接続され、前記液圧ロッドの一端が前記駆動チャンバの中に位置し、前記環状チャンバの一つの端壁の中には上方に開口した液圧チャンバが設置され、前記液圧チャンバの中には液圧板がスライドできるように接続され、前記駆動チャンバの一つの端壁の中には押し出し溝が設置され、前記押し出し溝の中には前端が外界空間の中に位置する台形板が設置され、前記支持軸にはまた押し出し板がスライドできるように接続され、前記押し出し板の一端には一端が前記押し出し溝の中に位置するプッシュ台形バーが上下に対称的に固定的に接続され、前記液圧チャンバの一つの端壁には前記環状チャンバを連通する液圧パイプが設置され、前記駆動チャンバの後端壁には前端が前記カラーの中心を貫通し、かつ前記カラーとスライドできるように接続される電線が設置される。
【発明の効果】
【００１０】
本発明の有益的な効果は：本装置は構造が簡単で、操作が便利であり、該装置が消灯するとき、外部にある電線を自動的に巻き付き電気スタンドの中に隠し、これによりデスクをきれいにし、該装置がまた自動または手動で電気スタンドの高さを調整でき、これにより電気スタンドの照明範囲を変え、一般の電気スタンドが手動でしか制御できないことと比べて、該装置が電気スタンドの自動化程度を高め、より良く人々のニーズに適応し、機械の伝動により作業効率を高める。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１２】
【図１】図１は本発明の自動電線巻き可能なＬＥＤ電気スタンドの全体全断面の正面構造概略図である；
【図２】図２は本発明の自動電線巻き可能なＬＥＤ電気スタンドの巻き機構の局部断面の正面構造概略図である。
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１−２に示すように、本発明の自動電線巻き可能なＬＥＤ電気スタンドは、ランプ台１８を含み、前記ランプ台１８の上端面にはランプ柱３が設置され、前記ランプ柱３の中には昇降チャンバ３９が設置され、前記昇降チャンバ３９の中には昇降機構５７が設置され、前記昇降機構５７は昇降バー４０を含み、前記昇降チャンバ３９の中には上端が外界空間の中に位置する昇降バー４０が設置され、前記昇降バー４０の上端にはＬＥＤライトが設置され、前記昇降チャンバ３９の両側端壁の中には昇降溝７が対称的に設置され、前記昇降チャンバ３９の中にはまた両端がそれぞれ両側の前記昇降溝７の中に位置する昇降ブロック２が設置され、前記昇降ブロック２の中には収納溝３６が設置され、前記昇降バー４０の上端が前記収納溝３６と前記昇降ブロック２とを貫通し、前記昇降溝７の下端壁には上端が前記昇降ブロック２と固定的に接続される昇降ばね９が設置され、前記昇降チャンバ３９の下端壁の中には駆動チャンバ１４が設置され、前記駆動チャンバ１４の中には駆動機構５６が設置され、前記駆動機構５６は前記駆動チャンバ１４の上端壁の中に位置する制御チャンバ３１を含み、前記制御チャンバ３１の中には制御板３０が設置され、前記駆動チャンバ１４の中にはまた巻き機構２７が設置される。
【００１５】
有益的には、前記昇降機構５７はまた伸縮ばね３８を含み、前記昇降バー４０の下端が前記制御チャンバ３１の中に位置し、前記昇降バー４０の中には十二個の前記昇降チャンバ３９を連通するばね溝３５が両端対称的に設置され、前記ばね溝３５のうち前記昇降チャンバ４０の中心線に近接する端壁には前記伸縮ばね３８が固定的に接続され、前記伸縮ばね３８のうち前記昇降チャンバ４０の中心線から離れている一端には円錐形ブロック３７が固定的に接続され、前記円錐形ブロック３７のうち前記昇降チャンバ４０の中心線から離れている一端が前記昇降チャンバ３９の中に位置する；
【００１６】
前記昇降ブロック２の中にはプッシュチャンバ４１が設置され、片側の前記昇降溝７の上端壁には昇降軸８が回転できるように接続され、前記昇降軸８の下端が前記プッシュチャンバ４１と前記制御チャンバ３１とを貫通し、かつ前記駆動チャンバの中に位置し、前記昇降軸８の下端が前記制御板３０を貫通し、かつ前記制御板３０とスライドできるように接続され、前記プッシュチャンバ４１の一つの端壁の中には従動チャンバ６が設置され、前記従動チャンバ６の下端壁が前記昇降溝７を連通し、前記従動チャンバ６の中には従動板４がスライドできるように接続され、前記従動板４の一つの端面には従動バー５が前後に対称的に固定的に接続され、前記従動バー５の一端が前記従動チャンバ６の一つの端壁を貫通し、かつ前記プッシュチャンバ４１の中に位置し、前記プッシュチャンバ４１の中にはプッシュ板４３がスライドできるように接続され、前記プッシュ板４３と前記従動バー５の一端とが固定的に接続され、前記プッシュ板４３の一つの端面には噛合ブロック４４が固定的に接続され、前記噛合ブロック４４の一端が前記昇降軸８と螺旋により係合され、片側の前記昇降溝７の上端壁には下端が前記プッシュチャンバ４１の中に位置する従動台形バー４２が固定的に接続される。
【００１７】
有益的には、前記駆動機構５６は駆動モータ１６を含み、前記駆動チャンバ１４の一つの端壁には駆動モータ１６が固定的に接続され、前記駆動モータ１６には駆動軸１７が動力が伝達できるように接続され、前記駆動軸１７には駆動傘歯車１９が固定的に接続され、前記昇降軸８の下端には従動傘歯車１５が固定的に接続され、前記従動傘歯車１５の一端が前記駆動傘歯車１９の上端と噛合接続され、前記制御板３０の上端面には電気磁石３３が固定的に接続され、前記制御板３０の下端面にはリフトバー３４が固定的に接続され、前記リフトバー３４の下端が前記駆動チャンバ１４の中に位置し、前記リフトバー３４の下端には回転溝２１が設置され、前記回転溝２１の両側端壁が前記駆動チャンバ１４を連通し、前記回転溝２１の中には回転電磁ブロック２０が設置され、前記制御板３０の上端面にはまたラックブロック１３が固定的に接続され、前記制御チャンバ３１の前後端壁の間には回転軸１２が回転できるように接続され、前記回転軸１２には回転歯車１１が固定的に接続され、前記回転歯車１１の一端には上端が片側の前記昇降溝７の中に位置する台形ブロック１０が噛合接続され、前記回転歯車１１の一端と前記ラックブロック１３の一つの端面と噛合接続され、前記制御板３０の下端面には制御ばね３２が固定的に接続され、前記制御ばね３２の下端と前記制御チャンバ３１の下端壁とが固定的に接続され、前記制御板３０の一端には下方に開口したばねチャンバ５９が設置され、前記ばねチャンバ５９の上端壁には圧縮ばね５８が固定的に接続され、前記圧縮ばね５８の下端には下端が前記駆動チャンバ１４の中に位置する押圧バー４７が固定的に接続される。
【００１８】
有益的には、前記巻き機構２７は支持柱２２を含み、前記支持柱２２の上端には前記支持柱２２の上端の一つの端面を貫通する旋転軸２３が回転できるように接続され、前記旋転軸２３の一端には回転盤２４が固定的に接続され、前記回転盤２４の上端の一つの端面には支持バー２９が固定的に接続され、前記支持バー２９の一端にはカラー２８が固定的に接続され、前記駆動チャンバ１４の一つの端壁には支持軸５２が固定的に接続され、前記支持軸５２には巻き筒２５がスライドできるように接続され、前記巻き筒２５の中には環状チャンバ４８が設置され、前記環状チャンバ４８の中には環状板４９が設置され、前記環状板４９の一つの端面には液圧ロッド５０が上下に対称的に固定的に接続され、前記液圧ロッド５０の一端が前記駆動チャンバ１４の中に位置し、前記環状チャンバ４８の一つの端壁の中には上方に開口した液圧チャンバ４５が設置され、前記液圧チャンバ４５の中には液圧板４６がスライドできるように接続され、前記駆動チャンバ１４の一つの端壁の中には押し出し溝５４が設置され、前記押し出し溝５４の中には前端が外界空間の中に位置する台形板５５が設置され、前記支持軸５２にはまた押し出し板５１がスライドできるように接続され、前記押し出し板５１の一端には一端が前記押し出し溝５４の中に位置するプッシュ台形バー５３が上下に対称的に固定的に接続され、前記液圧チャンバ４５の一つの端壁には前記環状チャンバ４８を連通する液圧パイプ６０が設置され、前記駆動チャンバ１４の後端壁には前端が前記カラー２８の中心を貫通し、かつ前記カラー２８とスライドできるように接続される電線２６が設置される。
【００１９】
下記に、出願人は図１−２と上記に記述した本出願の自動電線巻き可能なＬＥＤ電気スタンドの具体的な構成を参考し、本出願の自動電線巻き可能なＬＥＤ電気スタンドの使用方法を詳しく紹介する：まず、初期状態に、前記噛合ブロック４４と前記昇降軸８とが螺旋により係合される状態にあり、前記制御ばね３２が圧縮状態にあり、前記液圧板４６が前記液圧チャンバ４５の最下側に位置し、前記電気磁石３３がオープン状態にある；
【００２０】
電気スタンドを使用するとき、前記昇降バー４０を上に引き、これにより前記昇降バー４０を上昇連動させ、これにより前記制御板３０を上昇連動させ、これにより前記制御ばねをリセットさせ、これにより前記ラックブロック１３、前記リフトバー３４及び前記押圧バー４７を上昇連動させ、前記ラックブロック１３の上昇が前記回転歯車１１を回転連動させ、これにより前記台形ブロック１０を降下連動させ、前記リフトバー３４が上昇しこれにより前記回転電磁ブロック２０を上昇連動させ、これにより前記駆動軸１７と前記旋転軸２３に伝動を失わせ、これにより手動で前記電線２６を引き、前記押圧バー４７が上昇するため、前記巻き筒２５が制限されなくなり、これにより前記電線２６が移動する間に回転し、通電するとき、前記昇降ブロック２を自動的に昇降する必要がある場合、前記駆動モータ１６を始動し、これにより前記駆動軸１７を回転駆動させ、これにより前記駆動傘歯車１９を回転駆動させ、これにより前記従動傘歯車１５を回転連動させ、これにより前記昇降軸８を回転連動させ、これにより前記噛合ブロック４４を昇降連動させ、これにより前記昇降ブロック２を昇降連動させ、これにより前記昇降バー４０を昇降連動させ、手動で前記昇降バー４０を調整する必要があるとき、手動で前記昇降バー４０を引けばよい；
【００２１】
前記電気スタンドを使い終わると、前記駆動モータ１６が作動し、これにより前記駆動軸１７を回転連動させ、これにより前記駆動傘歯車１９を回転連動させ、これにより前記従動傘歯車１５を回転連動させ、これにより前記昇降軸８を回転連動させ、これにより前記噛合ブロック４４を降下連動させ、これにより前記昇降ブロック２を降下連動させ、これにより前記昇降バー４０を降下連動させ、前記昇降ばね９が圧縮され、前記昇降バー４０が最下側に降下すると、前記昇降バー４０が降下し前記電気磁石３３と接触し、かつ互いに対立し固定され、これにより前記制御板３０を降下連動させ、これにより前記ラックブロック１３を降下連動させ、これにより前記回転歯車１１を回転連動させ、これにより前記台形ブロック１０を上昇連動させ、前記リフトバー３４の降下が前記回転溝２１を降下連動させ、前記リフトバー３４が最下側に降下すると、前記回転電磁ブロック２０が作動し、これにより前記駆動軸１７と前記旋転軸２３との間の伝動を実現し、前記押圧バー４７の下端が前記巻き筒２５と接触し前記液圧板４６と接触していないとき、前記圧縮ばね５８が圧縮され、前記昇降ブロック２が前記昇降軸７の作用のもとで降下し続け、前記台形ブロック１０の上端が前記従動チャンバ６の中に入ると、これにより前記従動板４を連動し片側に移動させ、これにより前記従動バー５の伝動により前記プッシュ板４３を連動し片側に移動させ、これにより前記噛合ブロック４４を連動し前記昇降軸７との噛合から離脱し、これにより前記昇降ブロック２が前記昇降ばね９の作用のもとで上昇しリセットし、前記駆動軸１７の回転が前記回転電磁ブロック２０を回転連動させ、これにより前記旋転軸２３を回転連動させ、これにより前記回転盤２４を回転連動させ、これにより前記支持バー２９を回転連動させ、これにより前記カラー２８を回転連動させ、これにより前記電線２６を回転連動させ、前記押圧バー４７の下端が前記液圧チャンバ４５の中に位置するとき、前記カラー２８が電線２６を前記巻き筒２５に巻き付く。
【００２２】
本発明の有益的な効果は：本装置は構造が簡単で、操作が便利であり、該装置が消灯するとき、外部にある電線を自動的に巻き付き電気スタンドの中に隠し、これによりデスクをきれいにし、該装置がまた自動または手動で電気スタンドの高さを調整でき、これにより電気スタンドの照明範囲を変え、一般の電気スタンドが手動でしか制御できないことと比べて、該装置が電気スタンドの自動化程度を高め、より良く人々のニーズに適応し、機械の伝動により作業効率を高める。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ランプ台を含み、前記ランプ台の上端面にはランプ柱が設置され、前記ランプ柱の中には昇降チャンバが設置され、前記昇降チャンバの中には昇降機構が設置され、前記昇降機構は昇降バーを含み、前記昇降チャンバの中には上端が外界空間の中に位置する昇降バーが設置され、前記昇降バーの上端にはＬＥＤライトが設置され、前記昇降チャンバの両側端壁の中には昇降溝が対称的に設置され、前記昇降チャンバの中にはまた両端がそれぞれ両側の前記昇降溝の中に位置する昇降ブロックが設置され、前記昇降ブロックの中には収納溝が設置され、前記昇降バーの上端が前記収納溝と前記昇降ブロックとを貫通し、前記昇降溝の下端壁には上端が前記昇降ブロックと固定的に接続される昇降ばねが設置され、前記昇降チャンバの下端壁の中には駆動チャンバが設置され、前記駆動チャンバの中には駆動機構が設置され、前記駆動機構は前記駆動チャンバの上端壁の中に位置する制御チャンバを含み、前記制御チャンバの中には制御板が設置され、前記駆動チャンバの中にはまた巻き機構が設置されることを特徴とする自動電線巻き可能なＬＥＤ電気スタンド。
【請求項２】
前記昇降機構はまた伸縮ばねを含み、前記昇降バーの下端が前記制御チャンバの中に位置し、前記昇降バーの中には十二個の前記昇降チャンバを連通するばね溝が両端対称的に設置され、前記ばね溝のうち前記昇降チャンバの中心線に近接する端壁には前記伸縮ばねが固定的に接続され、前記伸縮ばねのうち前記昇降チャンバの中心線から離れている一端には円錐形ブロックが固定的に接続され、前記円錐形ブロックのうち前記昇降チャンバの中心線から離れている一端が前記昇降チャンバの中に位置し、
前記昇降ブロックの中にはプッシュチャンバが設置され、片側の前記昇降溝の上端壁には昇降軸が回転できるように接続され、前記昇降軸の下端が前記プッシュチャンバと前記制御チャンバとを貫通し、かつ前記駆動チャンバの中に位置し、前記昇降軸の下端が前記制御板を貫通し、かつ前記制御板とスライドできるように接続され、前記プッシュチャンバの一つの端壁の中には従動チャンバが設置され、前記従動チャンバの下端壁が前記昇降溝を連通し、前記従動チャンバの中には従動板がスライドできるように接続され、前記従動板の一つの端面には従動バーが前後に対称的に固定的に接続され、前記従動バーの一端が前記従動チャンバの一つの端壁を貫通し、かつ前記プッシュチャンバの中に位置し、前記プッシュチャンバの中にはプッシュ板がスライドできるように接続され、前記プッシュ板と前記従動バーの一端とが固定的に接続され、前記プッシュ板の一つの端面には噛合ブロックが固定的に接続され、前記噛合ブロックの一端が前記昇降軸と螺旋により係合され、片側の前記昇降溝の上端壁には下端が前記プッシュチャンバの中に位置する従動台形バーが固定的に接続され、
前記駆動機構の伝動により、これにより前記昇降軸を回転連動させ、これにより前記昇降ブロックを降下連動させ、これにより前記昇降バーを降下連動させ、これによりＬＥＤライトを降下連動させることを特徴とする請求項１に記載の自動電線巻き可能なＬＥＤ電気スタンド。
【請求項３】
前記駆動機構は駆動モータを含み、前記駆動チャンバの一つの端壁には駆動モータが固定的に接続され、前記駆動モータには駆動軸が動力が伝達できるように接続され、前記駆動軸には駆動傘歯車が固定的に接続され、前記昇降軸の下端には従動傘歯車が固定的に接続され、前記従動傘歯車の一端が前記駆動傘歯車の上端と噛合接続され、前記制御板の上端面には電気磁石が固定的に接続され、前記制御板の下端面にはリフトバーが固定的に接続され、前記リフトバーの下端が前記駆動チャンバの中に位置し、前記リフトバーの下端が前記駆動チャンバの中に位置し、前記リフトバーの下端には回転溝が設置され、前記回転溝の両側端壁が前記駆動チャンバを連通し、前記回転溝の中には回転電磁ブロックが設置され、前記制御板の上端面にはまたラックブロックが固定的に接続され、前記制御チャンバの前後端壁の間には回転軸が回転できるように接続され、前記回転軸には回転歯車が固定的に接続され、前記回転歯車の一端には上端が片側の前記昇降溝の中に位置する台形ブロックが噛合接続され、前記回転歯車の一端と前記ラックブロックの一つの端面と噛合接続され、前記制御板の下端面には制御ばねが固定的に接続され、前記制御ばねの下端と前記制御チャンバの下端壁とが固定的に接続され、前記制御板の一端には下方に開口したばねチャンバが設置され、前記ばねチャンバの上端壁には圧縮ばねが固定的に接続され、前記圧縮ばねの下端には下端が前記駆動チャンバの中に位置する押圧バーが固定的に接続され、
前記駆動モータが起動され前記駆動軸を回転連動させ、これにより前記駆動傘歯車を回転連動させ、これにより前記従動傘歯車を回転連動させ、これにより前記昇降軸を回転連動させ、これにより前記昇降機構を作動連動させ、これにより前記昇降バーが下がり前記制御板を降下連動させることを特徴とする請求項１に記載の自動電線巻き可能なＬＥＤ電気スタンド。
【請求項４】
前記巻き機構は支持柱を含み、前記支持柱の上端には前記支持柱の上端の一つの端面を貫通する旋転軸が回転できるように接続され、前記旋転軸の一端には回転盤が固定的に接続され、前記回転盤の上端の一つの端面には支持バーが固定的に接続され、前記支持バーの一端にはカラーが固定的に接続され、前記駆動チャンバの一つの端壁には支持軸が固定的に接続され、前記支持軸には巻き筒がスライドできるように接続され、前記巻き筒の中には環状チャンバが設置され、前記環状チャンバの中には環状板が設置され、前記環状板の一つの端面には液圧ロッドが上下に対称的に固定的に接続され、前記液圧ロッドの一端が前記駆動チャンバの中に位置し、前記環状チャンバの一つの端壁の中には上方に開口した液圧チャンバが設置され、前記液圧チャンバの中には液圧板がスライドできるように接続され、前記駆動チャンバの一つの端壁の中には押し出し溝が設置され、前記押し出し溝の中には前端が外界空間の中に位置する台形板が設置され、前記支持軸にはまた押し出し板がスライドできるように接続され、前記押し出し板の一端には一端が前記押し出し溝の中に位置するプッシュ台形バーが上下に対称的に固定的に接続され、前記液圧チャンバの一つの端壁には前記環状チャンバを連通する液圧パイプが設置され、前記駆動チャンバの後端壁には前端が前記カラーの中心を貫通し、かつ前記カラーとスライドできるように接続される電線が設置されることを特徴とする請求項１に記載の自動電線巻き可能なＬＥＤ電気スタンド。